(57)【要約】【課題】この発明は、自動車メーカーや機械メーカーの部品図番をスピーデイに読み取れる事と、間違い防止のため、それを短くできるように十進法以上で桁を形成する置き換え図番帳を提供する。【解決手段】部品図番の桁の数字を、文字や記号に置き換え図番表とする、または、必要に応じて文字や記号、そして数字を組み合わせて置き換え図番表とする、そして両方ともそこから転記して部品図番帳を形成する。【選択図】図１
2013201410.tif 000002
【特許請求の範囲】
【請求項１】
部品図番の桁の数字を、文字や記号に置き換え図番表とする、または、必要に応じて文字や記号、そして数字を組み合わせて置き換え図番表とする、そして両方ともそこから転記して部品図番帳を形成することを特徴とする、十進法以上の桁で形成する置き換え部品図番帳。
【発明の詳細な説明】
【技術分野】
【０００１】  この発明は、自動車メーカーや機械メーカーの部品図番をスピーデイに読み取れる事と、間違い防止のため、それを短くできるように十進法以上で桁を形成する置き換え図番帳に関するものである。
【背景技術】
【０００２】  従来、自動車や機械は、数多くの部品より組み立てられ、その部品には番号が付けられ、図と共に記載し図番として表記して図番帳としている。
または、それを電子化して使用している場合もある。
そして自動車や機械は、利便性を高めるためや、ニーズの多様化によって複雑化し、それによって部品数は、益々増える傾向にある。
部品図番の表記の形態は、そのほとんどが途中をハイホンで区切っている。
部品数増加に伴い、部品図番が増えるので、桁を増やす必要から、必然的にそれが長くなる。
例えば、片方だけで６桁や７桁となっているケースは多い。
そのような部品図番は、ハイホンの両側を足すと１２桁を超えるような図番もある。
そこで、それを確実に読み取りするには、一回では難しく数回に分けて読み取っていて、それが面倒で時間もかかった。
また、長い図番は読み間違えの発生し易い欠点があった。
【発明の開示】
【発明が解決しようとする課題】
【０００３】  本発明により図番帳の長い部品図番を、桁数を短く置き換えられて、読み取りやすく、それをスピーデイにできること。
また、部品図番の読み取り間違いも防止できること。
【課題を解決するための手段】
【０００４】  本発明は上記課題を解決する為のもので、
部品図番の桁の数字を、文字や記号に置き換え図番表とする、または、必要に応じて文字や記号、そして数字を組み合わせて置き換え図番表とする、そして両方ともそこから転記して部品図番帳を形成する。
【発明の効果】
【０００５】  本発明により長い部品図番の桁数を短く置き換えることができたので、読みやすくなり、しかも数字だけではないので、何度も読み返さなくとも頭に入り易く、スピーデイに行えるようになった。
さらに部品図番の読み取り間違いを減少できた。
そこで、具体的に多品種の部品を頻繁に扱う現場などにおいて、労力の軽減と時間短縮ができた。
【発明を実施するための最良の形態】
【０００６】  構造を図１、図２に示すように、
部品図番の桁の数字を、文字や記号に置き換える図番表とする。
または、必要に応じて文字や記号、そして数字を組み合わせて置き換える図番表とする。
そして両方ともそこから転記して部品図番帳を形成する。【０００７】  文字を置き換える図番表について、この実施例では、数字をひらがなやカタカナに置き換える図番表とし、そこから照合して部品図番帳を形成した。
また、この場合には子音も使用して、数の足しにした。
この図番表を、図２に一例として示す。
このように１から９９までを、数字から文字に置き換えて図番表とした。
図１に示すように、数を図番表より照合して部品図番帳を形成した。【０００８】  それでは数の進度を１００進法として、置き換えた文字を１０００の桁と１００の桁に当てはめて、１００進法の最大値の９９をドとして置き換えた。
そして数字の部分は十進法として０で表記すれば、ドド００と短く表記され、これを数字で表すと１０８９００となり桁は長い。
このように４桁の図番で６桁の部品図番を表記できるだけでなく識別も容易となる。
また、この当てはめる桁は、１００００の桁と１０００の桁にした場合は、ドド０００の表記となり７桁の１０８９０００までの数を表記できた。
この他に、アルファベットについて、従来は識別用に使用していたが、数字の置き換え文字として組み合わせて使用しても良い。
尚、部品図番帳に従来の部品図番があるが、必要に応じて記載しても良い。【０００９】  本発明を使用するときは、従来からある部品図番を、図番表に照合して、部品図番帳とすることで、図番が短くなり、数字のみの使用とは比較にならず、簡単に読めて頭に入り易くなった。
また、見やすくなることで何度も読み返す必要が減り、読みやすく、スピーデイに行えるようになった。
さらに部品図番の読み取り間違いを減少できた。
そこで、自動車や機械の組み立て工場には、多品種の部品を頻繁に扱う部品の供給現場があり、長い部品図番を間違い無いように慎重に読み取りしてから出庫していたが、この煩わしさは解消され、特に注意しなければならない間違いは減少し、労力の軽減と時間短縮ができた。
【実施例１】
【００１０】  図３に示すように、漢字に置き換える図番表とした。
この図番表でも１から９９までを漢字で置き換える事がでた。
図４に示すように、この図番表に、照合して部品図番帳を形成した。
そこで、このように漢字を使用しても、ひらがなやカタカナで部品図番帳を形成したのと同様の効果がある。
【実施例２】
【００１１】  この実施例では、数字を記号として置き換えて図番表としたが、使用する記号は、自主製作したものである。
2013201410.tif 000003
記号を使用してもよい。
それはギリシャ数字を含むギリシャ字またはロシア字、そして環境依存文字などである。
図５に示すように、自主製作した記号を用いて、１から９９までを置き換えて図番表とした。
図６に示すように、この図番表に照合して部品図番帳を形成した。
そこで、このように記号を使用しても、ひらがなやカタカナなどの文字で部品図番帳を形成したのと同様の効果がある。
【実施例３】
【００１２】  この実施例では、数字、そして文字や記号を組み合わせて置き換える図番表とし、そこから照合して図番帳とした。
図７に示すように、数字、そして文字や記号を組み合わせて置き換えた図番表とした。
そこで、この図番表でも１から９９までを漢字で置き換える事がでた。
図８に示すように、この図番表に照合して部品図番帳を形成した。
それで、このように数字、そして文字や記号を組み合わせて使用しても、ひらがなやカタカナで部品図番帳を形成したのと同様の効果がある。【００１３】  本発明により、製造現場や部品供給現場において、今まで長い間解決できなかった問題を解決できた。
【図面の簡単な説明】
【００１４】
【図１】本発明、部品図番帳の斜視図
【図２】本発明の実施例、ひらがなやカタカナに置き換える図番表を示す説明図
【図３】本発明の実施例、漢字に置き換える図番表を示す説明図
【図４】本発明の実施例、漢字で置き換えた部品図番帳の斜視図
【図５】本発明の実施例、自主製作した記号を用いた図番表を示す説明図
【図６】本発明の実施例、自主製作した記号で置き換えた部品図番帳の斜視図
【図７】本発明の実施例、数字、文字、記号を組み合わせた図番表を示す説明図
【図８】本発明の実施例、数字、文字、記号を組み合わせた部品図番帳
【符号の説明】
【００１５】１部品図番帳、２図番表
【図１】
2013201410.tif 000004
【図２】
2013201410.tif 000005
【図３】
2013201410.tif 000006
【図４】
2013201410.tif 000007
【図５】
2013201410.tif 000008
【図６】
2013201410.tif 000009
【図７】
2013201410.tif 000010
【図８】
2013201410.tif 000011